(57)【要約】【課題】ケーブルの種別や線路名などを示す銘板が読み取ることができケーブルの保守管理に利便性を持たせることを目的とするマットを提供する。【解決手段】マットを透明にしてケーブルの表面に明示されたケーブル種別や線路名などの銘板が認識できるようにする。【選択図】図１
0003108554.tif 000002
【実用新案登録請求の範囲】
【請求項１】
送配電用ケーブルに対して工具の落下や運搬物の衝突などで損傷を受ける恐れがある箇所に巻き付けるものであり、透明の材料から構成されたケーブル防護用マット
【請求項２】
前記マットの透明の材料が積層している請求項１のケーブル防護用マット。
【請求項３】
前記マットにおいて被覆対象物が見える窓部を設けたケーブル防護用マット。
【考案の詳細な説明】
【考案の詳細な説明】
【技術分野】
【０００１】本考案は、電気を送る送電線、配電線などのケーブルに巻き付けて工具の落下や運搬時の衝突の衝撃などからケーブルの損傷を防ぐために使われるケーブル防護用マットに関する。（以下、マットという。）
【背景技術】
【０００２】従来、この種のマットとしては、硬質や軟質の材料で有色の素材で種々提案されている。【０００３】それらマットは工具の落下や運搬中の衝突などに対してケーブルの損傷を防ぐものであった。【０００４】しかしながら、これらの従来のマットはケーブルの種別や線路名などを示す銘板が読めなかったりしたために、ケーブル保護の面で安全性や作業性や管理面で不具合が生じていた。
【考案が解決しようとする課題】
【０００５】本考案はこうした問題に鑑みなされたものであり、施工性に支障なく、ケーブルの保守管理に利便性を持たせるためのマットを提供することを目的とする。
【課題を解決するための手段及び考案の効果】
【０００６】かかる目的を達成するためになされた考案は、ケーブルに対して工具の落下や運搬物の衝突などで損傷を受ける恐れがある箇所に巻き付けるマットであり、透明なシートで構成されているケーブル防護用マットである。
【０００７】つまり本考案（請求項１）のマットによれば、シートが透明であるためシートを通してケーブルの表面に明示されたケーブル種別や線路名などの銘板が認識できるようになる。
そのため、施工するケーブルを間違えることがなく作業をすることができる。
【０００８】また、マットの被覆対象物が明暸に分かるため作業者が容易に注意を払うことができるため被覆対象物への意識を高めることができる。
【０００９】請求項２記載の考案によれば、積層された透明のシートであるため単一枚数では該マットは厚みが分厚くなる為、外皮シートと内皮シートのように複数枚にて構成されることによって総厚みは同じであっても肉薄のシートで構成されるためより耐貫通性能が向上するためよりよくなる。
【００１０】請求項３記載の考案によれば、ケーブルの種別などを明示する銘板のみ明確に判読できるだけの透明な窓部を設け、他の部分は有色部であってもなんら問題ない。
【００１１】請求項４記載の考案によれば、マットをより効率よく運搬できる取っ手を設ければより多くのマットを一度に運ぶためより取付作業がよくなる。
【考案を実施するための最良の形態】
【００１２】以下に、本考案の実施例を組み付け手順に合わせながら図面に基づいて説明する。
図１のごとく、本体が透明素材であるために内部が透き通り目視により判別できるようになっている。
また図２に示す如く、複数の内皮シート２を高周波溶着で一体化したものを外皮シート（表面）３と外皮シート（裏面）４で挟み、周囲を高周波溶着で閉じる。【００１３】マット１の両端には運搬用に取っ手５を取り付けてある。【００１４】また、マット１の中央部に施工箇所の距離に合わせて製品の長さを現場でカットできる切り取り代６やケーブルに固定する為の固定用ゴム紐を通すための通し穴７、喚起表示の文字１３をつけてある。【００１５】図３はマット１をケーブル１２に巻きつけた状態を示す。
このように、柔軟性を持っているので巻きつけも容易である。【００１６】図４は、マット１１をさらに細分化できるよう切り取り代１６や通し穴７を増やしてある。また、マット１１の表面にはマット１１のケーブル１２への取り付け時のために位置合わせライン８を印刷してある。
図５のように、シートは内部の銘板が読み取れればよいので、シートが有色であっても、シートに窓部９として、一部のみ透明としてもよい。
また、無色透明でなくとも、透明度を保つ有色透明色でもよい。
外皮シートは外部からの衝撃を逃がすよう滑りのよい素材を使用してもよい。
内部シートは一種類のシート素材でなく、種類の違うシートの任意の重ねあわせでもよい。
マットの大きさは幅５０ｃｍ、長さ１００ｃｍである。
以上、本考案の実施例について説明したが、本考案は上記実施例に限定されるものでなく、種々の態様をとる事ができる。マットは透明であればよく、材質は、塩化ビニル、ポリカーボネート、などの透明で且つ耐貫通性や耐衝撃性ある厚みのシートを使用してもよい。
【図面の簡単な説明】
【図１】マットの全体斜視図である。
【図２】マットの部分断面図（Ａ−Ａ断面図）
【図３】マット施工状態の斜視図である。
【図４】切り取り溝を複数本配置したマットの斜視図
【図５】透明部を一部だけにしたマットの斜視図
【符号の説明】
マット‥１、１１、１１１    内皮シート‥２
外皮シート（表面）‥３    外皮シート（裏面）‥４
取っ手‥５、１５、１１５    切り取り代‥６、１６、１１６
固定用穴‥７、１７    ライン‥８    窓‥９
ケーブル‥１２    文字‥１３    銘板‥１４ａ、１４ｂ
【図１】
0003108554.tif 000003
【図２】
0003108554.tif 000004
【図３】
0003108554.tif 000005
【図４】
0003108554.tif 000006
【図５】
0003108554.tif 000007
【手続補正書】
【提出日】平成16年3月9日(2004.3.9)
【手続補正１】
【補正対象書類名】実用新案登録請求の範囲
【補正対象項目名】補正の内容のとおり
【補正方法】変更
【補正の内容】
0003108554.tif 000008
0003108554.tif 000009
0003108554.tif 000010
0003108554.tif 000011
0003108554.tif 000012
【手続補正書】
【提出日】平成16年7月30日(2004.7.30)
【手続補正１】
【補正対象書類名】実用新案登録請求の範囲
【補正対象項目名】請求項３
【補正方法】変更
【補正の内容】
【請求項３】
窓部を設けたことを特徴とする請求項１又は２記載のケーブル防護用マット。
【手続補正書】
【提出日】平成16年10月27日(2004.10.27)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
送配電用ケーブルに対して工具の落下や運搬物の衝突などで損傷を受ける恐れがある箇所に巻き付けるものであり、内部に内皮シート入れ、表裏面は外皮シートで覆った無色のシートから構成されたケーブル防護用マット。
【請求項２】
前記マットの材料が積層している請求項１のケーブル防護用マット。
【請求項３】
窓部を設けたことを特徴とする請求項１又は２記載のケーブル防護用マット。
【手続補正２】
【補正対象書類名】手続補正書
【補正対象項目名】手続補正２
【補正方法】追加
【補正の内容】
【手続補正２】
【補正対象書類名】明細書
【補正対象項目名】全文
【補正方法】変更
【補正の内容】
【考案の詳細な説明】
【考案の詳細な説明】
【０００１】
【技術分野】本考案は、電気を送る送電線、配電線などのケーブルに巻き付けて工具の落下や運搬時の衝突の衝撃などからケーブルの損傷を防ぐために使われるケーブル防護用マットに関する。（以下、マットという。）【０００２】
【背景技術】従来、この種のマットとしては、硬質や軟質の材料で有色の素材で種々提案されている。【０００３】それらマットは工具の落下や運搬中の衝突などに対してケーブルの損傷を防ぐものであった。【０００４】しかしながら、これらの従来のマットはケーブルの種別や線路名などを示す銘板が読めなかったりしたために、ケーブル保護の面で安全性や作業性や管理面で不具合が生じていた。【０００５】
【考案が解決しようとする課題】
本考案はこうした問題に鑑みなされたものであり、施工性に支障なく、ケーブルの保守管理に利便性を持たせるためのマットを提供することを目的とする。
【０００６】
【課題を解決するための手段及び考案の効果】
かかる目的を達成するためになされた考案は、ケーブルに対して工具の落下や運搬物の衝突などで損傷を受ける恐れがある箇所に巻き付けるマットであり、無色のシートで構成されているケーブル防護用マットである。
【０００７】つまり本考案（請求項１）のマットによれば、シートが無色であるためシートを通してケーブルの表面に明示されたケーブル種別や線路名などの銘板が認識できるようになる。
そのため、施工するケーブルを間違えることがなく作業をすることができる。
【０００８】また、マットの被覆対象物が明瞭に分かるため作業者が容易に注意を払うことができるため被覆対象物への意識を高めることができる。
【０００９】請求項２記載の考案によれば、積層された無色のシートであるため、単一枚数では該マットは厚みが分厚くなる為、外皮シートと内皮シートのように複数枚にて構成されることによって総厚みは同じであっても肉薄のシートで構成されるためより耐貫通性能が向上するためよりよくなる。
【００１０】請求項３記載の考案によれば、ケーブルの種別などを明示する銘板のみ明確に判読できるだけの無色な窓部を設け、他の部分は有色部であってもなんら問題ない。
【００１１】
【考案を実施するための最良の形態】以下に、本考案の実施例を組み付け手順に合わせながら図面に基づいて説明する。
図１のごとく、本体が無色素材であるために内部が透き通り目視により判別できるようになっている。
また図２に示す如く、複数の内皮シート２を高周波溶着で一体化したものを、外皮シート（表面）３と外皮シート（裏面）４で挟み、周囲を高周波溶着で閉じる。【００１２】マット１の両端には運搬用に取っ手５を取り付けてある。【００１３】また、マット１の中央部に施工箇所の距離に合わせて製品の長さを現場でカットできる切り取り代６やケーブルに固定する為の固定用ゴム紐を通すための通し穴７、喚起表示の文字１３をつけてある。【００１４】図３はマット１をケーブル１２に巻きつけた状態を示す。
このように、柔軟性を持っているので巻きつけも容易である。【００１５】図４は、マット１１をさらに細分化できるよう切り取り代１６や通し穴７を増やしてある。また、マット１１の表面にはマット１１のケーブル１２への取り付け時のために位置合わせライン８を印刷してある。【００１６】図５のように、シートは内部の銘板が読み取れればよいので、シートが有色であっても、シートに窓部９として、一部のみ無色としてもよい。また、無色透明でなくとも、透明度を保つ有色透明色でもよい。
外皮シートは外部からの衝撃を逃がすよう滑りがよい素材を使用してもよい。内部シートは一種類のシート素材でなく、種類の違うシートの任意の重ねあわせでもよい。【００１７】マットの大きさは幅５０ｃｍ、長さ１００ｃｍである。【００１８】以上、本考案の実施例について説明したが、本考案は上記実施例に限定されるものでなく、種々の態様をとる事ができる。マットは無色であればよく、材質は、塩化ビニル、ポリカーボネート、などの無色で且つ耐貫通性や耐衝撃性ある厚みのシートを使用してもよい。
【図面の簡単な説明】
【図１】マットの全体斜視図である。
【図２】マットの部分断面図（Ａ−Ａ断面図）
【図３】マット施工状態の斜視図である。
【図４】切り取り溝を複数本配置したマットの斜視図
【図５】無色部を一部だけにしたマットの斜視図
【符号の説明】
マット‥１、１１、１１１    内皮シート‥２
外皮シート（表面）‥３    外皮シート（裏面）‥４
取っ手‥５、１５、１１５    切り取り代‥６、１６、１１６
固定用穴‥７、１７    ライン‥８    窓‥９
ケーブル‥１２    文字‥１３    銘板‥１４ａ、１４ｂ